(57)【要約】【課題】紙葉を一枚ずつ目視確認することが容易に可能となる紙葉計数機の提供。【解決手段】ホッパに投入された紙葉Ｓを１枚ずつ分離して繰り出し搬送して排出する繰出搬送部と、繰出搬送部で移動中の紙葉Ｓを計数する計数部と、繰出搬送部５１で排出された紙葉Ｓを目視可能に受け入れて集積させる集積部２０とを備え、集積部２０は、前壁部２３が、底部２１から立ち上がる立設状態と前方に傾倒する傾倒状態とに姿勢変更可能となっている。【選択図】図４
2015103229.tif 000002
【特許請求の範囲】
【請求項１】
ホッパに投入された紙葉を１枚ずつ分離して繰り出し搬送して排出する繰出搬送部と、
該繰出搬送部で移動中の紙葉を計数する計数部と、
前記繰出搬送部で排出された紙葉を目視可能に受け入れて集積させる集積部と、
を備える紙葉計数機であって、
前記集積部は、前壁部が底部から立ち上がる立設状態と前方に傾倒する傾倒状態とに姿勢変更可能であることを特徴とする紙葉計数機。
【請求項２】
操作部への操作入力に基づいて、前記繰出搬送部による前記集積部への紙葉の排出の時間間隔を第１の排出時間間隔とする通常モードと前記第１の排出時間間隔よりも長い第２の排出時間間隔とする低速モードとから選択して実行する制御部を備えることを特徴とする請求項１に記載の紙葉計数機。
【請求項３】
前記通常モードが選択されると前記前壁部を前記立設状態とし、前記低速モードが選択されると前記前壁部を前記傾倒状態とする姿勢変更手段を有することを特徴とする請求項２に記載の紙葉計数機。
【請求項４】
前記前壁部の姿勢を検出する姿勢検出手段を有し、
前記制御部は、前記姿勢検出手段が前記前壁部の前記立設状態を検出すると、前記通常モードを選択し、前記姿勢検出手段が前記前壁部の前記立設状態以外を検出すると、前記低速モードを選択することを特徴とする請求項２に記載の紙葉計数機。
【請求項５】
前記繰出搬送部の末端位置には、回転方向の上流側に延出する多数の羽根を有し隣り合う羽根同士の間に紙葉を挟持し回転して搬送する集積車が設けられ、前記集積部には、前記集積車の羽根間の紙葉に当接して当該紙葉を移動する羽根間から引き出して前記集積車から離間する位置まで案内するガイド手段が設けられていることを特徴とする請求項１から４のいずれか一項に記載の紙葉計数機。
【発明の詳細な説明】
【技術分野】
【０００１】
本発明は、紙葉計数機に関する。
【背景技術】
【０００２】
一般に、紙葉計数機としては、銀行業務等において用いられる紙幣計数機および選挙用の投票用紙等の各種用紙を計数する紙葉計数機等が知られている（例えば、特許文献１参照）。この紙葉計数機によれば、ホッパに集積された紙葉は１枚ずつ分離され繰り出されて計数が行われ、集積車を経由した後に、札受台に集積されるようになっている。つまり、この紙葉計数機では、ホッパに集積した紙葉を高速で計数して札受台に集積させつつ、紙葉の枚数を確認することができるようになっている。
【先行技術文献】
【特許文献】
【０００３】
【特許文献１】実公平０１−０２４６６８号公報
【発明の概要】
【発明が解決しようとする課題】
【０００４】
しかしながら、紙葉を計数する場合に、高速で計数して枚数を確認するだけの作業に止まらず、計数する紙葉の表裏の方向が間違っていないかを確認したり、特に投票用紙においては書かれている文字が間違っていないかを確認したりして、間違った紙葉の排除を伴う作業が行われる場合もある。その場合には別途操作員が手作業で１枚ずつ捌きながら目視で確認する必要があった。
【０００５】
したがって、本発明は、紙葉を一枚ずつ目視確認することが容易に可能となる紙葉計数機の提供を目的とする。
【課題を解決するための手段】
【０００６】
上記目的を達成するために、請求項１に係る発明は、ホッパに投入された紙葉を１枚ずつ分離して繰り出し搬送して排出する繰出搬送部と、該繰出搬送部で移動中の紙葉を計数する計数部と、前記繰出搬送部で排出された紙葉を目視可能に受け入れて集積させる集積部と、を備える紙葉計数機であって、前記集積部は、前壁部が底部から立ち上がる立設状態と前方に傾倒する傾倒状態とに姿勢変更可能であることを特徴とする。
【０００７】
請求項２に係る発明は、請求項１に係る発明において、操作部への操作入力に基づいて、前記繰出搬送部による前記集積部への紙葉の排出の時間間隔を第１の排出時間間隔とする通常モードと前記第１の排出時間間隔よりも長い第２の排出時間間隔とする低速モードとから選択して実行する制御部を備えることを特徴とする。
【０００８】
請求項３に係る発明は、請求項２に係る発明において、前記通常モードが選択されると前記前壁部を前記立設状態とし、前記低速モードが選択されると前記前壁部を前記傾倒状態とする姿勢変更手段を有することを特徴とする。
【０００９】
請求項４に係る発明は、請求項２に係る発明において、前記前壁部の姿勢を検出する姿勢検出手段を有し、前記制御部は、前記姿勢検出手段が前記前壁部の前記立設状態を検出すると、前記通常モードを選択し、前記姿勢検出手段が前記前壁部の前記立設状態以外を検出すると、前記低速モードを選択することを特徴とする。
【００１０】
請求項５に係る発明は、請求項１から４のいずれか一項に係る発明において、前記繰出搬送部の末端位置には、回転方向の上流側に延出する多数の羽根を有し隣り合う羽根同士の間に紙葉を挟持し回転して搬送する集積車が設けられ、前記集積部には、前記集積車の羽根間の紙葉に当接して当該紙葉を移動する羽根間から引き出して前記集積車から離間する位置まで案内するガイド手段が設けられていることを特徴とする。
【発明の効果】
【００１１】
請求項１に係る発明によれば、繰出搬送部で排出された紙葉を目視可能に受け入れて集積させる集積部の前壁部が、集積部の底部から立ち上がる立設状態と前方に傾倒する傾倒状態とに姿勢変更可能であるため、計数のみを行う場合には、前壁部を立設状態とすることで集積乱れを抑制し、操作者による一枚ずつの目視確認が行われる場合には、前壁部を傾倒状態とすることで目視確認が容易に行えるようにする。したがって、紙葉を一枚ずつ目視確認することが容易に可能となる。
【００１２】
請求項２に係る発明によれば、制御部が、操作部への操作入力に基づいて、繰出搬送部による集積部への紙葉の排出の時間間隔を第１の排出時間間隔とする通常モードと、繰出搬送部による集積部への紙葉の排出の時間間隔を第１の排出時間間隔よりも長い第２の排出時間間隔とする低速モードとから選択して実行する。よって、通常モードでは低速モードよりも短時間で計数を行うことができ、低速モードでは通常モードよりも集積部への紙葉の排出の時間間隔を長くすることができる。このため、一台の同じ機械で、紙葉の高速での計数に加えて、紙葉を計数しつつ一枚ずつ目視確認することが容易に可能となる。つまり、低速モードを選択して実行すれば、例えば、紙葉の表裏の方向が間違っているか否かを目視で確認したり、特に投票用紙において書かれている文字が間違っているか否かを目視で確認したりできる。
【００１３】
請求項３に係る発明によれば、通常モードが選択されると姿勢変更手段が前壁部を立設状態とし、低速モードが選択されると姿勢変更手段が前壁部を傾倒状態とするため、前壁部を自動的にモードに応じた姿勢とすることができる。
【００１４】
請求項４に係る発明によれば、姿勢検出手段が前壁部の立設状態を検出すると、制御部が通常モードを選択し、姿勢検出手段が前壁部の立設状態以外を検出すると、制御部が低速モードを選択するため、前壁部の姿勢に応じて自動的にモードを選択設定することになる。
【００１５】
請求項５に係る発明によれば、ガイド手段が集積車の羽根間の紙葉に当接して当該紙葉を移動する羽根間から引き出して集積車から離間する位置まで案内するため、集積部に集積された紙葉が集積車に接触して動いてしまうことを抑制できる。よって、特に操作者による一枚ずつの目視確認が行われる場合に、紙葉の視認性を向上させることができる。
【図面の簡単な説明】
【００１６】
【図１】本発明の一実施形態に係る紙葉計数機の断面図である。
【図２】本発明の一実施形態に係る紙葉計数機の斜視図である。
【図３】本発明の一実施形態に係る紙葉計数機の制御系のブロック図である。
【図４】本発明の一実施形態に係る紙葉計数機の集積部近傍の部分断面図であって、（ａ）は前壁部の立設状態を、（ｂ）は前壁部の傾倒状態を、それぞれ示すものである。
【発明を実施するための形態】
【００１７】
本発明の一実施形態に係る紙葉計数機を図面を参照して以下に説明する。以下の説明における「前」は操作者側、「後」は操作者とは反対側、「左右」は操作者から見て左右である。
【００１８】
図１において符号１は、紙葉Ｓが長さ方向を左右方向に向け上下方向に複数枚集積された状態で載置されるホッパである。このホッパ１に集積された紙葉Ｓは、最下のものから順次蹴出ローラ２によって後方に蹴り出されて、繰出ローラ３と分離ローラ４との間に供給される。繰出ローラ３は、計数モータ５によって駆動されて図１の時計回り方向に回転するもので、繰出ローラ３と計数モータ５との間には回転を伝達する図３に示すクラッチ６および繰出ローラ３を急激に停止させるブレーキ７が設けられている。図１に示す蹴出ローラ２は、計数モータ５の駆動力により繰出ローラ３と連動して図１の時計回り方向に回転する。蹴出ローラ２の外周部には部分的に摩擦部材２ａが設けられ、繰出ローラ３の外周部には部分的に摩擦部材３ａが設けられている。蹴出ローラ２は摩擦部材２ａが紙葉Ｓに接触するとき、紙葉Ｓを蹴り出し、繰出ローラ３は摩擦部材３ａが紙葉Ｓに接触するとき、紙葉Ｓを分離ローラ４との間に引き込んで、後下がりに傾斜する搬送通路１０に繰り出す。分離ローラ４は停止していて繰出ローラ３に接触する紙葉Ｓよりも上側の紙葉Ｓを停止させる。これにより、蹴出ローラ２および繰出ローラ３がホッパ１に集積された紙葉Ｓを順次間欠的に搬送通路１０に繰り出す。
【００１９】
蹴出ローラ２、繰出ローラ３、分離ローラ４、計数モータ５、クラッチ６およびブレーキ７が、ホッパ１に集積状態で投入された紙葉Ｓを最下のものから１枚ずつ分離して繰り出す繰出部８を構成している。この繰出部８は、計数モータ５の回転速度を変更制御することで、ホッパ１から紙葉Ｓを１枚ずつ分離して搬送通路１０に繰り出す繰り出しの時間間隔を変更可能となっている。
【００２０】
搬送通路１０には搬送通路１０を移動中の紙葉Ｓを計数する計数部１１が設けられている。計数部１１は紙葉Ｓの通過を検出して計数を行うとともに紙葉Ｓの画像を識別可能となっている。この搬送通路１０を通過する紙葉Ｓは搬送ローラ１２でさらに下流側に搬送される。搬送ローラ１２は計数モータ５によって回転駆動されるものであり、これら搬送ローラ１２によって挟持された紙葉Ｓは加速されて前方に搬送され、集積車１５に受け渡される。集積車１５は図３に示す集積車モータ１７によって図１の反時計回り方向に回転駆動されるもので、順次加速投入された紙葉Ｓを集積部２０に受け渡す。
【００２１】
ここで、集積車１５は、その上部に位置するとき回転方向の上流側である搬送ローラ１２側に延出する多数の羽根１６を有しており、搬送ローラ１２から繰り出された紙葉Ｓを、回転中その時点で搬送ローラ１２に対向する上部の隣り合う羽根１６間の隙間に受け入れる。集積車１５は、回転することにより、これら羽根１６同士の間に挟持した紙葉Ｓを機体前方かつ下方に搬送する。
【００２２】
集積車１５は、図２に示すように、機体左右方向に間隔をあけて一対設けられており、これら集積車１５は、ガイド部３０から上部および前部のみが突出するように設けられている。ガイド部３０は、図１に示すように集積車１５よりも搬送ローラ１２側に延出して搬送ローラ１２から繰り出された紙葉Ｓの下方への移動を規制する上部ガイド３１と、上部ガイド３１よりも下側かつ前側にある下部ガイド３２と、上部ガイド３１と下部ガイド３２とを繋ぐ連結部３３とを有している。
【００２３】
集積部２０には、図２に示すように一対の集積車１５の左右両側に、一対のガイド部材（ガイド手段）４１が設けられている。図４に示すように、ガイド部材４１は、上部ガイド３１に後端部が連結されるとともに前側ほど下側に位置するように傾斜し、しかも前方かつ上方の斜め方向に膨出する湾曲形状をなすガイド本体部４２と、ガイド本体部４２の前端から屈曲して前方に延出して下部ガイド３２に連結される連結部４３とを有している。この連結部４３と下部ガイド３２とが集積部２０の底部２１を構成している。ガイド本体部４２はその連結部４３側の端部と集積車１５の中心との距離が、集積車１５の最大半径よりも長くなっている。
【００２４】
搬送ローラ１２から繰り出されて集積車１５の羽根１６間に挿入された紙葉Ｓは、隣り合う羽根１６で挟持されて集積車１５の回転により機体前方かつ下方に搬送されることになるが、その最中に、ガイド部材４１のガイド本体部４２に当接する。すると、紙葉Ｓは、回転する集積車１５の隣り合う羽根１６間から引き出されながら、ガイド本体部４２に沿って前方に移動して、ガイド本体部４２よりも前側の集積部２０の底部２１に当接する。ガイド本体部４２の連結部４３側の端部と集積車１５の中心との距離が、集積車１５の最大半径よりも長くなっていることから、集積部２０の底部２１に当接した時点で、紙葉Ｓは、少なくとも底部２１に当接している下端部が集積車１５から離間した状態となる。つまり、ガイド部材４１は、集積車１５の羽根１６間の紙葉Ｓに当接してこの紙葉Ｓを移動する羽根１６間から引き出して集積車１５から離間する位置まで案内する。紙葉Ｓは、底部２１に当接すると、それまで挟持されていた羽根１６のうち回転方向上流側の羽根１６で下端部よりも上側が前方に押され、その結果、底部２１に当接した下端部を中心に前に倒れるように排出される。
【００２５】
搬送通路１０、搬送ローラ１２、計数モータ５、集積車１５、集積車モータ１７およびガイド部３０の上部ガイド３１が、上記した繰出部８により繰り出された紙葉Ｓを搬送して集積部２０上に排出する搬送部５０を構成している。この搬送部５０は、計数モータ５および集積車モータ１７の回転速度を変更制御することで、紙葉Ｓの搬送の速度を変更可能となっている。繰出部８を構成する蹴出ローラ２、繰出ローラ３、分離ローラ４、クラッチ６、ブレーキ７と、搬送部５０を構成する搬送通路１０、搬送ローラ１２、集積車１５、集積車モータ１７およびガイド部３０の上部ガイド３１と、双方を構成する計数モータ５とが、ホッパ１に投入された紙葉Ｓを１枚ずつ分離して繰り出し搬送して集積部２０に排出する繰出搬送部５１を構成している。この繰出搬送部５１の末端位置に集積車１５が設けられている。また、この繰出搬送部５１で移動中の紙葉Ｓを計数部１１が計数する。
【００２６】
集積部２０は、紙葉計数機の機外に臨む前面位置に設けられており、その上側の前側が開放されている。よって、繰出搬送部５１で集積部２０に排出された紙葉Ｓは機外に露出することになり、操作者による目視が可能となる。つまり、集積部２０は、繰出搬送部５１で排出された紙葉Ｓを目視可能に受け入れて集積させる。この集積部２０上の紙葉Ｓは、その有無が底部２１の上面に沿って光軸が配置された残留検知投受光器２２ａ，２２ｂによって検出される。
【００２７】
集積部２０は、上記した底部２１と、底部２１の前端縁部から立ち上がる前壁部２３と左右両側の一対の図２に示す側壁部２４，２４とを有している。前壁部２３は底部２１側の連結部を中心に揺動可能であり、図４（ａ）に示すように底部２１から立ち上がる立設状態と、図４（ｂ）に示すように立設状態よりも前方に傾倒する傾倒状態とに姿勢変更可能となっている。前壁部２３は、図４（ａ）に示す立設状態にあるとき、その後方に向く支持面２３ａが水平よりも鉛直に近い角度で前上がりに傾斜することになり、図４（ｂ）に示す傾倒状態にあるとき、支持面２３ａが鉛直よりも水平に近い角度で前上がりに傾斜することになる。
【００２８】
集積車１５から排出された紙葉Ｓは、上述したように、底部２１に当接すると、集積車１５の上流側の羽根１６で押圧されて下端部を中心に前に倒れるように排出される。その結果、前壁部２３が図４（ａ）に示す立設状態にあるときには、前壁部２３の支持面２３ａ側の上縁部に立てかけられるようにして、紙葉Ｓが前から後に順次集積されていくことになる。
【００２９】
他方、前壁部２３が図４（ｂ）に示す傾倒状態にあるときには、集積車１５から排出された紙葉Ｓは、底部２１から前壁部２３の支持面２３ａ上に倒れ、水平に近い状態で下から上に順次集積されていくことになる。その際に、集積部２０は、前壁部２３が傾倒状態になることで、紙葉Ｓよりも前側で立ち上がる部分がなくなることになり、よって紙葉Ｓの上面の目視が容易に可能となる。
【００３０】
集積部２０には、前壁部２３が図４（ａ）に示す立設状態にあることを検知する図３に示す立設状態検知センサ（姿勢検出手段，姿勢変更手段）２５と、前壁部２３が図４（ｂ）に示す傾倒状態にあることを検知する図３に示す傾倒状態検知センサ（姿勢変更手段）２６と、前壁部２３を立設状態および傾倒状態の間で往復揺動させる傾倒モータ（姿勢変更手段）２７とが設けられている。図２に示すように、紙葉計数機の前面には、操作部５３および表示部５４がそれぞれ配設されている。また、紙葉計数機の内部には、図３に示すように、記憶部５５および制御部（姿勢変更手段）５６が設けられている。
【００３１】
ここで、制御部５６は、操作部５３への操作入力によって計数部１１の識別項目を予め選択設定可能となっている。例えば、紙葉Ｓとして紙幣を計数する場合には、計数部１１によって真偽、正損、金種および搬送の正常異常を識別することになり、紙葉Ｓとして投票用紙等の規定サイズの紙葉を計数する場合には、搬送方向長さの正常異常、重送等の搬送異常の有無を識別することになる。
【００３２】
そして、本実施形態においては、制御部５６が、操作部５３のモード設定釦への操作入力に基づいて、単位時間当たりの紙葉Ｓの計数枚数つまり単位時間当たりの紙葉Ｓの集積部２０への排出の枚数が、予め設定されている固定値である第１の排出枚数（例えば１０００枚／分）となる通常モードと、この第１の排出枚数よりも少ない、予め設定されている可変値である第２の排出枚数（例えば１００枚／分）となる低速モードとから選択して実行する。制御部５６は、初期状態では通常モードが設定されるようになっており、モード設定釦が押される毎に低速モードと通常モードとに交互に切り替わるようになっている。
【００３３】
以上の構成において、操作者が紙葉計数機のホッパ１にその枚数を計数したい紙葉群を集積状態でセットして、操作部５３に必要によりモード設定操作を行う。通常モードが選択設定された状態で、操作部５３のスタート釦にスタート操作が入力されると、制御部５６は、立設状態検知センサ２５が前壁部２３の立設状態を検知しているか否かを判定し、立設状態検知センサ２５が前壁部２３の立設状態を検知していれば、傾倒モータ２７を停止状態のままとする。他方、立設状態検知センサ２５が前壁部２３の立設状態を検知していなければ、前壁部２３を立設状態とする方向に傾倒モータ２７を駆動して、立設状態検知センサ２５が前壁部２３の立設状態を検知する状態になると、傾倒モータ２７を停止させる。これにより、前壁部２３が立設状態となる。
【００３４】
次に、制御部５６は、計数モータ５の回転の速度（動作条件）を、予め設定されて記憶部５５に記憶されている固定値の第１の計数回転速度とし、集積車モータ１７の回転の速度（動作条件）を、予め設定されて記憶部５５に記憶されている固定値の第１の集積車回転速度として、それぞれ駆動する。すると、搬送ローラ１２および集積車１５が回転する。次に、制御部５６は、クラッチ６を繋ぐ。すると、蹴出ローラ２および繰出ローラ３が共に回転し、ホッパ１内に投入載置された紙葉群中の紙葉Ｓを一枚ずつ分離して順次搬送通路１０に送出する。搬送通路１０に送出された紙葉Ｓは、計数部１１で識別および計数が行われ、搬送ローラ１２で搬送されて、集積車１５に繰り出され、集積車１５から集積部２０に排出されて、集積部２０の底部２１上で前壁部２３に立てかけられるようにして前から後に順次集積される。
【００３５】
以上の通常モードにおいて、制御部５６が、計数モータ５の回転の速度を第１の計数回転速度とし集積車モータの回転速度を第１の集積車回転速度とすると、繰出部８によりホッパ１から紙葉Ｓを１枚ずつ分離して繰り出す繰り出しの時間間隔が固定値である第１の繰出時間間隔となり、搬送部５０による紙葉Ｓの搬送の速度が固定値である第１の搬送速度となる。
【００３６】
低速モードが選択設定された状態で、操作部５３にスタート操作が入力されると、制御部５６は、傾倒状態検知センサ２６が前壁部２３の傾倒状態を検知しているか否かを判定し、傾倒状態検知センサ２６が前壁部２３の傾倒状態を検知していれば、傾倒モータ２７を停止状態のままとする。他方、傾倒状態検知センサ２６が前壁部２３の傾倒状態を検知していなければ、前壁部２３を傾倒状態とする方向に傾倒モータ２７を駆動して、傾倒状態検知センサ２６が前壁部２３の傾倒状態を検知する状態になると、傾倒モータ２７を停止させる。これにより、前壁部２３が傾倒状態となる。つまり、立設状態検知センサ２５と傾倒状態検知センサ２６と傾倒モータ２７と制御部５６とが、通常モードが選択されると前壁部２３を立設状態とし、低速モードが選択されると前壁部２３を傾倒状態とする姿勢変更手段を構成している。
【００３７】
次に、制御部５６は、計数モータ５の回転の速度（動作条件）を第１の計数回転速度よりも低い、予め設定されて記憶部５５に記憶されている第２の計数回転速度とし、集積車モータ１７の回転の速度（動作条件）を第１の集積車回転速度よりも低い、予め設定されて記憶部５５に記憶されている第２の集積車回転速度として、それぞれ駆動する。すると、搬送ローラ１２および集積車１５が回転する。次に、制御部５６は、クラッチ６を繋ぐ。すると、蹴出ローラ２および繰出ローラ３が共に回転し、ホッパ１内に投入載置された紙葉群中の紙葉Ｓを一枚ずつ分離して順次搬送通路１０に送出する。搬送通路１０に送出された紙葉Ｓは、計数部１１で識別および計数が行われ、搬送ローラ１２で搬送されて、集積車１５に繰り出され、集積車１５から集積部２０に排出されて、集積部２０の底部２１上で傾倒状態にある前壁部２３上で下から上に順次集積される。
【００３８】
以上の低速モードにおいて、制御部５６が、計数モータ５の回転の速度を第２の計数回転速度とし集積車モータ１７の回転速度を第２の集積車回転速度とすると、繰出部８によりホッパ１から紙葉Ｓを１枚ずつ分離して繰り出す繰り出しの時間間隔が、上記第１の繰出時間間隔よりも長い可変値である第２の繰出時間間隔となり、搬送部５０による紙葉Ｓの搬送の速度が、上記第１の搬送速度よりも遅い可変値である第２の搬送速度となる。
【００３９】
その結果、通常モードでは、繰出搬送部５１による集積部２０への紙葉Ｓの排出の時間間隔が予め設定された固定値である第１の排出時間間隔となり、低速モードでは、繰出搬送部５１による集積部２０への紙葉Ｓの排出の時間間隔が、前記第１の排出時間間隔よりも長い可変値である第２の排出時間間隔となる。ここで、排出時間間隔とは、例えば、搬送部５０の最下流位置の集積車１５で搬送されている紙葉Ｓが底部２１に当接した時点から、その次に集積車１５で搬送されている紙葉Ｓが底部２１に当接する時点までの時間である。
【００４０】
つまり、制御部５６は、操作部５３への操作入力に基づいて、繰出搬送部５１による集積部２０への紙葉Ｓの排出の時間間隔を、固定値である第１の排出時間間隔とする通常モードと、この第１の排出時間間隔よりも長い可変値である第２の排出時間間隔とする低速モードとから選択して実行する。制御部５６は、通常モードが選択された状態では、表示部５４に、通常モードである旨と、単位時間当たりの紙葉Ｓの計数枚数つまり単位時間当たりの紙葉Ｓの集積部２０への排出の枚数（第１の排出時間間隔に相当する情報）を表示させる。また、制御部５６は、低速モードが選択された状態では、表示部５４に、低速モードである旨と、単位時間当たりの紙葉Ｓの計数枚数つまり単位時間当たりの紙葉Ｓの集積部２０への排出の枚数（第２の排出時間間隔に相当する情報）を表示させる。
【００４１】
制御部５６は、低速モードが選択された状態で、操作部５３への操作入力に基づいて、第２の排出時間間隔を段階的に短くまたは長く切り換える切換手段を含んでいる。つまり、制御部５６は、操作部５３のモード設定釦への操作入力で低速モードが選択設定されると、計数モータ５の回転の速度を、予め設定されて記憶部５５に記憶されている第２の計数回転速度の初期値とし、集積車モータ１７の回転速度を、予め設定されて記憶部５５に記憶されている第２の集積車回転速度の初期値とする。このときの単位時間当たりの紙葉Ｓの計数枚数つまり単位時間当たりの紙葉Ｓの集積部２０への排出の枚数が、予め設定されている第２の排出枚数の初期値（例えば１００枚／分）となる。
【００４２】
この状態で、操作部５３のダウン釦が押圧操作されると、制御部５６は、予め設定されて記憶部５５に記憶されている幅で第２の計数回転速度を低くするとともに、予め設定されて記憶部５５に記憶されている幅で第２の集積車回転速度を低くする。しかも、押圧操作の回数毎に、予め設定されて記憶部５５に記憶されている幅で第２の計数回転速度をその下限値を下回らない範囲で低くするとともに、予め設定されて記憶部５５に記憶されている幅で第２の集積車回転速度をその下限値を下回らない範囲で低くする。これにより、第２の排出時間間隔が段階的に長くなり、単位時間当たりの紙葉Ｓの計数枚数つまり第２の排出枚数が段階的に少なくなる（例えばダウン釦への１回の押圧操作で２０枚／分だけダウン）。低速モードでの計数回転速度の下限値および集積車回転速度の下限値の設定により、第２の排出時間間隔の上限値（例えば３秒）と、単位時間当たりの紙葉Ｓの計数枚数つまり第２の排出枚数の下限値（例えば２０枚／分）とが設定される。このような計数枚数の減少変更時において、制御部５６は、表示部５４に、低速モードが選択中である旨と、単位時間当たりの紙葉Ｓの計数枚数つまり単位時間当たりの集積部２０への紙葉Ｓの排出の枚数である第２の排出枚数（第２の排出時間間隔に相当する情報）を表示させる。
【００４３】
また、操作部５３のアップ釦が押圧操作されると、制御部５６は、予め設定されて記憶部５５に記憶されている幅で第２の計数回転速度を高くするとともに、予め設定されて記憶部５５に記憶されている幅で第２の集積車回転速度を高くする。しかも、押圧操作の回数毎に、予め設定されて記憶部５５に記憶されている幅で第２の計数回転速度をその上限値（第１の計数回転速度よりも低い値）を上回らない範囲で高くするとともに、予め設定されて記憶部５５に記憶されている幅で第２の集積車回転速度をその上限値（第１の集積車回転速度よりも低い値）を上回らない範囲で高くする。これにより、第２の排出時間間隔が段階的に短くなり、単位時間当たりの紙葉Ｓの計数枚数つまり第２の排出枚数が段階的に多くなる（例えばアップ釦への１回の押圧操作で２０枚／分だけアップ）。低速モードでの計数回転速度の上限値および集積車回転速度の上限値の設定により、第２の排出時間間隔の下限値（例えば０．５秒）と、単位時間当たりの紙葉Ｓの計数枚数つまり第２の排出枚数の上限値（例えば３００枚／分）とが設定される。このような計数枚数の増加変更時においても、制御部５６は、表示部５４に、低速モードが選択中である旨と、単位時間当たりの紙葉Ｓの計数枚数つまり単位時間当たりの集積部２０への紙葉Ｓの排出の枚数である第２の排出枚数（第２の排出時間間隔に相当する情報）を表示させる。
【００４４】
以上により、低速モードでは、単位時間当たりの紙葉Ｓの計数枚数つまり単位時間当たりの紙葉Ｓの排出枚数である第２の排出枚数が、予め設定された上限値から下限値までの間で段階的に昇降変更可能となっている（例えば第２の排出枚数が２０〜３００枚／分の範囲で２０枚／分の区切りで調整可能となっている）。
【００４５】
しかも、制御部５６は、低速モードでの繰出搬送部５１による紙葉Ｓの繰り出し搬送中であっても、繰出搬送部５１を停止させることなく、上記したように操作部５３のダウン釦への操作入力に基づいて第２の排出時間間隔を段階的に長く切り換えたり、また操作部５３のアップ釦への操作入力に基づいて第２の排出時間間隔を段階的に短く切り換えたりすることが可能となっている。なお、変更後の第２の計数回転速度の値および第２の集積車回転速度の値を記憶部５５に更新記憶して、次の低速モードの実行時に、これらの値を第２の計数回転速度の初期値および第２の集積車回転速度の初期値に設定しても良い。
【００４６】
また、制御部５６は、低速モードでの繰出搬送部５１による紙葉Ｓの繰り出し搬送中に、操作部５３への操作入力に基づいて、繰出搬送部５１による紙葉Ｓの繰り出し搬送を一旦停止させる停止手段を含んでいる。つまり、制御部５６は、計数モータ５および集積車モータ１７の駆動中に、操作部５３のストップ釦が押圧されると、計数モータ５を停止させるとともに、クラッチ６を非連結状態にして、ブレーキ７により繰出ローラ３および蹴出ローラ２を停止させる。また、集積車モータ１７を停止して、集積車１５を停止させる。これにより、集積部２０への紙葉Ｓの排出が一旦停止される。また、この状態から、操作部５３のスタート釦が押圧されると、制御部５６は、ブレーキ７を解除しクラッチ６を連結状態にするとともに計数モータ５および集積車モータ１７を駆動して、低速モードでの繰出搬送部５１による紙葉Ｓの繰り出しを再開させる。
【００４７】
以上に述べた本実施形態によれば、繰出搬送部５１で排出された紙葉Ｓを目視可能に受け入れて集積させる集積部２０の前壁部２３が、集積部２０の底部２１から立ち上がる立設状態と前方に傾倒する傾倒状態とに姿勢変更可能であるため、計数のみを行う場合には、前壁部２３を立設状態とすることで集積乱れを抑制し、操作者による一枚ずつの目視確認が行われる場合には、前壁部２３を傾倒状態とすることで目視確認が容易に行えるようにする。したがって、紙葉Ｓを一枚ずつ目視確認することが容易に可能となる。
【００４８】
また、制御部５６が、操作部５３への操作入力に基づいて、繰出搬送部５１による集積部２０への紙葉Ｓの排出の時間間隔を第１の排出時間間隔とする通常モードと、繰出搬送部５１による集積部２０への紙葉Ｓの排出の時間間隔を第１の排出時間間隔よりも長い第２の排出時間間隔とする低速モードとから選択して実行する。つまり、通常モードが選択されると、制御部５６が、繰出部８による紙葉Ｓの繰り出しの時間間隔を第１の繰出時間間隔とするとともに搬送部５０による紙葉Ｓの搬送の速度を第１の搬送速度として集積部２０への紙葉Ｓの排出の時間間隔を第１の排出時間間隔とする。また、低速モードが選択されると、制御部５６が、繰出部８による紙葉Ｓの繰り出しの時間間隔を第１の繰出時間間隔よりも長い第２の繰出時間間隔とするとともに、搬送部５０による紙葉Ｓの搬送の速度を第１の搬送速度よりも遅い第２の搬送速度として、集積部２０への紙葉Ｓの排出の時間間隔を第１の排出時間間隔よりも長い第２の排出時間間隔とする。
【００４９】
よって、通常モードでは低速モードよりも短時間で計数を行うことができ、低速モードでは通常モードよりも集積部２０への紙葉Ｓの排出の時間間隔を長くすることができる。このため、一台の同じ機械で、紙葉Ｓの高速での計数に加えて、紙葉Ｓを計数しつつ一枚ずつ目視確認することが容易に可能となる。つまり、低速モードを選択して実行すれば、例えば、紙葉Ｓの表裏の方向が間違っているか否かを一枚ずつ目視確認したり、紙葉Ｓが特に投票用紙である場合において書かれている文字が間違っているか否かを一枚ずつ目視で確認したりできる。
【００５０】
紙葉Ｓが投票用紙であって文字が間違っているか否かを目視で確認する際には、例えば、前壁部２３が傾倒状態にある集積部２０上に紙葉Ｓが集積される際に、目視確認が行われるようにするためには、この集積時に文字側が上に向くように、ホッパ１への紙葉Ｓのセット方向が決められる。つまり、上に文字側が向くようにして紙葉Ｓがホッパ１へセットされる。
【００５１】
あるいは、集積部２０上に集積される前、集積車１５の前部で上から下に移動する際に紙葉Ｓの文字が間違っているか否かを目視確認することも可能である。この場合、集積車１５の前部で上から下に紙葉Ｓが移動する際に文字側が前方に向くようにホッパ１への紙葉Ｓのセット方向が決められることになる。すなわち、前者とは異なる方向である下に文字側が向くようにして紙葉Ｓがホッパ１へセットされる。この場合も、前壁部２３が傾倒状態にあることで、前壁部２３および集積部２０上に集積された紙葉Ｓが、集積車１５の前部で上から下に移動する紙葉Ｓの目視の邪魔にならず、目視確認が容易となる。
【００５２】
また、通常モードが選択されると、立設状態検知センサ２５および傾倒状態検知センサ２６の検知結果に基づいて制御部５６が傾倒モータ２７を必要により駆動して前壁部２３を立設状態とし、低速モードが選択されると、立設状態検知センサ２５および傾倒状態検知センサ２６の検知結果に基づいて制御部５６が傾倒モータ２７を必要により駆動して前壁部２３を傾倒状態とするため、前壁部２３を自動的にモードに応じた姿勢とすることができる。
【００５３】
また、ガイド部材４１が集積車１５の羽根１６間の紙葉Ｓに当接してこの紙葉Ｓを移動する羽根１６間から引き出して集積車１５から離間する位置まで案内するため、集積部２０に集積された紙葉Ｓが集積車１５に接触して動いてしまうことを抑制できる。よって、特に操作者による一枚ずつの目視確認が行われる場合に、紙葉Ｓの視認性を向上させることができる。
【００５４】
また、通常モードが選択されると、制御部５６が、繰出部８による繰り出しの時間間隔を第１の繰出時間間隔とするとともに搬送部５０による紙葉Ｓの搬送の速度を第１の搬送速度とし、低速モードが選択されると、制御部５６が、繰出部８による繰り出しの時間間隔を第１の繰出時間間隔よりも長い第２の繰出時間間隔とするとともに、搬送の速度を第１の搬送速度よりも遅い第２の搬送速度とするため、簡単な制御で集積部２０への紙葉Ｓの排出の時間間隔を変更可能となる。
【００５５】
また、制御部５６が、操作部５３への操作入力に基づいて低速モードでの第２の排出時間間隔を段階的に短くまたは長く切り換える。よって、低速モードでの第２の排出時間間隔を所望の間隔に調整することができ、個人個人で異なる目視に最適な排出の時間間隔に設定することができる。
【００５６】
また、制御部５６は、低速モードでの繰出搬送部５１による紙葉Ｓの繰り出し搬送中であっても、操作部５３への操作入力に基づいて、第２の排出時間間隔を段階的に短くまたは長く切り換え可能であるため、紙葉Ｓの繰り出し搬送中に繰出搬送部５１を一々停止させることなく、第２の排出時間間隔を所望の間隔に調整することができる。
【００５７】
また、低速モードでの繰出搬送部５１による紙葉Ｓの繰り出し搬送中に、制御部５６が、操作部５３への操作入力に基づいて、繰出搬送部５１による紙葉Ｓの繰り出し搬送を一旦停止させるため、例えば、表裏の方向が間違っている紙葉Ｓを見つけたり、書かれている文字が間違っている紙葉Ｓを見つけたりしたときに、紙葉Ｓの繰り出し搬送を一旦停止させることができる。よって、見つけた紙葉Ｓを容易に排除することができる。
【００５８】
また、記憶部５５が、低速モードでの繰出搬送部５１の動作条件を記憶するため、一々低速モードでの繰出搬送部５１の動作条件を設定しなくとも、記憶部５５から読み出した動作条件で繰出搬送部５１を動作させることができる。
【００５９】
また、低速モードが選択された状態では、表示部５４が、低速モードである旨と第２の排出時間間隔に相当する情報とを表示するため、これらの情報を操作者に認識させることができる。よって、操作者による操作ミスを抑制することができる。
【００６０】
以上においては、通常モードが選択されると前壁部２３を自動的に立設状態とし、低速モードが選択されると前壁部２３を自動的に傾倒状態とするものを例にとり説明したが、前壁部２３を手動で立設状態と傾倒状態との間で揺動させるようにしても良い。その場合、傾倒モータ２７は不要となり、コストを低減することができる。このとき、前壁部２３の姿勢を検出する手段として、例えば立設状態検知センサ２５のみを設け、制御部５６は、前壁部２３が立設状態にあることを立設状態検知センサ２５が検知しているときは通常モードを選択設定し、前壁部２３が立設状態にあることを立設状態検知センサ２５が検知していないときは低速モードを選択設定するようにすれば、前壁部２３の姿勢に応じて自動的にモードを選択設定することになる。よって、前壁部２３を所望の状態として操作部５３のスタート釦を操作すれば、前壁部２３の姿勢に応じたモードが自動的に選択実行されることになる。立設状態検知センサ２５のみを設けて前壁部２３が立設状態にあるか否かを判断する構成は、前壁部２３を立設状態以外に複数段階あるいは無段階で角度調整可能とする場合等に好適である。
【００６１】
あるいは、立設状態検知センサ２５および傾倒状態検知センサ２６を設け、制御部５６は、前壁部２３が立設状態にあることを立設状態検知センサ２５が検知しているときは通常モードを選択設定し、前壁部２３が傾倒状態にあることを傾倒状態検知センサ２６が検知しているときは低速モードを選択設定し、前壁部２３が立設状態にあることを立設状態検知センサ２５が検知せず且つ前壁部２３が傾倒状態にあることを傾倒状態検知センサ２６が検知していない場合に、エラーを報知してスタート釦操作を受け付けないようにしても良い。
【００６２】
また、以上においては、低速モードが選択されると、制御部５６が、繰出部８による繰り出しの時間間隔を通常モードの第１の繰出時間間隔よりも長い第２の繰出時間間隔とするとともに、搬送の速度を通常モードの第１の搬送速度よりも遅い第２の搬送速度として、集積部２０への紙葉Ｓの排出の時間間隔を通常モードの第１の排出時間間隔よりも長い第２の排出時間間隔とする場合を例にとり説明した。これに限らず、低速モードにおいて、集積部２０への紙葉Ｓの排出の時間間隔を通常モードの第１の排出時間間隔よりも長い第２の排出時間間隔とすれば良く、以下のような変更も可能である。
【００６３】
例えば、蹴出ローラ２および繰出ローラ３を駆動する計数モータ５とは別に、搬送ローラ１２を駆動する搬送モータを設け、通常モードが選択されると、制御部５６が、計数モータ５つまり蹴出ローラ２および繰出ローラ３の回転速度を速くして繰出部８によりホッパ１から紙葉Ｓを１枚ずつ分離して繰り出す繰り出しの時間間隔を第１の繰出時間間隔とする一方、低速モードが選択されると、計数モータ５つまり蹴出ローラ２および繰出ローラ３の回転速度を遅くして繰出部８によりホッパ１から紙葉Ｓを１枚ずつ分離して繰り出す繰り出しの時間間隔を第１の繰出時間間隔よりも長い第２の繰出時間間隔とする。そして、通常モードと低速モードとで搬送モータおよび集積車モータ１７の回転速度はそれぞれ同じとして、搬送部５０による紙葉Ｓの搬送の速度を、通常モードと低速モードとで同じとする。これにより、搬送部５０の紙葉Ｓの搬送の速度を可変とする必要がなくなり、さらなる制御の容易化が図れる。
【符号の説明】
【００６４】
１  ホッパ
１１  計数部
２０  集積部
２１  底部
２３  前壁部
２５  立設状態検知センサ（姿勢変更手段，姿勢検出手段）
２６  傾倒状態検知センサ（姿勢変更手段）
２７  傾倒モータ（姿勢変更手段）
５１  繰出搬送部
５３  操作部
５６  制御部（姿勢変更手段）
Ｓ  紙葉
【図１】
2015103229.tif 000003
【図２】
2015103229.tif 000004
【図３】
2015103229.tif 000005
【図４】
2015103229.tif 000006